(57)【要約】【課題】  走行機体に装備したモーアからの刈草を、機体後部に配備した集草容器に投入して回収するよう構成した草刈機の集草装置において、容量の異なった複数種の集草容器を安価に製作することができるようにする。【解決手段】  集草容器１２を、刈草投入口を前面に備えるとともに左右全面を開口した容器主部１２ａと、この容器主部１２ａの左右に連結されるサイドカバー１２ｂで構成してある。容器主部１２ａを金属材で構成するとともに、左右のサイドカバー１２ｂを樹脂材で構成することが好ましい。【選択図】        図６
2006006208.tif 000002
【特許請求の範囲】
【請求項１】
走行機体に装備したモーアからの刈草を、機体後部に配備した集草容器に投入して回収するよう構成した草刈機の集草装置であって、
前記集草容器を、刈草投入口を前面に備えるとともに左右全面を開口した容器主部と、この容器主部の左右に連結されるサイドカバーとで構成してあることを特徴とする草刈機の集草装置。
【請求項２】
前記容器主部を金属材で構成するとともに、左右のサイドカバーを樹脂材で構成してあることを特徴とする請求項１記載の草刈機の集草装置。
【発明の詳細な説明】
【技術分野】
【０００１】
本発明は、走行機体に装備したモーアからの刈草を、機体後部に配備した集草容器に投入して回収するよう構成した草刈機の集草装置に関する。
【背景技術】
【０００２】
草刈機の集草装置としては、例えば、特許文献１に示されているように、機体後部に設けられた支持枠にモーアから延出されたダクトを接続するとともに、箱状に構成された集草容器を支持枠に支持したものが知られている。
【特許文献１】特開２００２−２６２６３５号公報
【発明の開示】
【発明が解決しようとする課題】
【０００３】
上記集草装置に用いられる集草容器は、フレームの上面、背面、および左右の側面に通気可能な壁材を連結するとともに、底面に通気不能な底板を連結して箱状に組上げた構造のものが利用されており、容量の異なった複数種の集草容器を得るためには寸法仕様の異なった多数の部品を準備する必要があり、コスト高になるものであった。
【０００４】
本発明は、このような点に着目してなされたものであって、容量の異なった複数種の集草容器を安価に製作することができる集草装置を提供することを主たる目的としている。
【課題を解決するための手段】
【０００５】
第１の発明は、走行機体に装備したモーアからの刈草を、機体後部に配備した集草容器に投入して回収するよう構成した草刈機の集草装置であって、
前記集草容器を、刈草投入口を前面に備えるとともに左右全面を開口した容器主部と、この容器主部の左右に連結されるサイドカバーとで構成してあることを特徴とする。
【０００６】
上記構成によると、横幅の異なった複数種の容器主部に対して同仕様のサイドカバーを連結することで容量の異なった複数種の集草容器を構成することができる。
【０００７】
従って、第１の発明によると、部品種類を少なく複数種の集草容器を安価に製作することが可能となった。
また、サイドカバーを共用するので、外観デザインの揃った各種仕様の集草容器を得ることができ、走行機体に取付けた状態での見栄えや外観バランスを確保しやすいものとなる。
【０００８】
第２の発明は、上記第１の発明において、
前記容器主部を金属材で構成するとともに、左右のサイドカバーを樹脂材で構成してあることを特徴とする。
【０００９】
上記構成によると、容器主部は、ダクトの後端から勢いよく飛び出てきた搬送物を直接に受止めるので、小石や枝などの硬質異物が勢いよく衝突することがあるが、剛性の高い金属材で構成されているので破損することはない。また、サイドカバーは硬質異物が勢いよくぶつかるおそれが少ないので、樹脂材で構成されていても支障はなく、むしろ、任意の形状に成形しやすいのでデザイン性の優れた外観をもたらすことが容易となる。
【発明を実施するための最良の形態】
【００１０】
図１に、本発明に係る集草装置を備えた草刈り機の全体側面図が、また、図２にその全体平面図がそれぞれ示されている。この草刈り機は、操向自在な前輪１および向き固定の後輪２がそれぞれ駆動される四輪駆動型に構成された乗用型の走行機体３の下部に、前リンク４ａおよび後リンク４ｂからなるリンク機構４を介して３枚ブレード型のモーア５が昇降操作可能に吊り下げ連結されるとともに、モーア５で刈取った刈草を機体下部の右寄り箇所に配備したダクト６を介して機体後方に風力搬送して、機体後部に備えた集草装置７で回収するよう構成されている。
【００１１】
前記集草装置７は、走行機体３の後端に連結固定された縦壁状の支持枠１１と、これに回動自在かつ脱着自在に支持された集草容器１２とから構成されており、図４に示すように、支持枠１１の右寄り箇所に形成された連通口１３に前記ダクト６の後端部が接続されている。
【００１２】
支持枠１１には、刈草搬出風を逃がすスリット状の通気孔１４が連通口１３の左右に位置して形成されるとともに、集草容器１２を連結支持する左右一対の容器支持アーム１５が後方上方に向けて片持ち状に延出されている。
【００１３】
図６に示すように、前記集草容器１２は、上面、背面、および底面を備えた容器主部１２ａと、この容器主部１２ａの左右に連結されるサイドカバー１２ｂとで構成され、パイプ材を組み合わせ連結してなる内部フレーム１６に容器主部１２ａとサイドカバー１２ｂがそれぞれボルト連結されることで、容器全体が前面全体が開口された箱状に形成されている。そして、容器主部１２ａの後部に多数の細孔を並列形成した通気部１７が形成されるとともに、サイドカバー１２ｂにも多数の細孔を並列形成してなる通気部１８が形成され、容器内に吹き込まれた刈草搬送風が集草容器１２のこれら通気部１７，１８と支持枠１１の通気孔１４から抜け出すように構成されている。
【００１４】
なお、前記容器主部１２ａは、ダクト６の後端から勢いよく飛び出てきた搬送物を直接に受止めるので、小石や枝などの硬質異物の衝突によって破損しないように板金構造で構成され、また、サイドカバー１２ｂは硬質異物が勢いよくぶつかるおそれが少ないので、形状設定が容易な樹脂成形品として構成されている。そして、横幅の異なる複数種の容器主部１２ａに対して共通のサイドカバー１２ｂを連結することで、容量の異なる複数仕様の集草容器を安価に製作することができるようになっている。
【００１５】
前記集草容器１２は容器支持アーム１５に回動自在かつ脱着自在に連結支持されるようになっており、以下、その支持構造について説明する。
【００１６】
図５，７に示すように、左右の前記容器支持アーム１５の先端部には容器支持用の連結部として横向き軸心の支軸１９が固設されるとともに、集草容器１２における内部フレーム１６の左右には前記支軸１９に係合する係合部材２０が固設され、かつ、この係合部材２０には、係合部材２０が支軸１９から外れるのを阻止する係合ロック部材２１が装備されている。前記係合部材２０には前向きに開口した係合凹部２０ａが形成されており、この係合凹部２０ａを支軸１９に後方から係脱することで集草容器を脱着することが可能となっている。また、前記係合ロック部材２１には下向きに開口した係合凹部２１ａが形成されており、この係合ロック部材２１を支軸１９に係合しておくことで、係合部材２０の係合凹部２０ａが塞がれて支軸１９から係合部材２０が後方に離脱することが阻止されるようになっている。
【００１７】
このように係合部材２０と係合ロック部材２１とを用いて容器支持アーム１５の支点部に連結支持された収用容器１２は支軸１９を中心に上下回動可能となっており、下方に回動することで容器前面が支持枠１１に接続されてダクト６に連通する刈草回収姿勢（図７参照）となり、上方に回動することで容器前面が支持枠１１から離間して下向きに開放された刈草排出姿勢（図９参照）になるように構成されている。
【００１８】
前記支持１１の下部には刈草回収姿勢の集草容器１２を支持枠１１に刈草回収姿勢で連結固定するロック機構２３が設けられている。このロック機構２３は、支持枠１１に横架支承した横向きの支点軸２４を介して一体に上下回動自在に枢支された左右一対のフック状のロック部材２５と、集草容器１２の内部フレーム１６の前部下端に設けた左右のロック金具２６とで構成されており、ロック金具２６を支持枠１１の下部に備えた受け金具２７に載置支持させた状態で各ロック部材２５をロック金具２６に上方よりそれぞれ係合させることで、刈草回収姿勢の集草容器１２を支持枠１１に連結固定するようになっている。
【００１９】
ここで、前記ロック部材２５はバネ２８によって下方、つまり、ロック方向に回動付勢されるとともに、支持枠１１に上下スライド可能に貫通支持したロック解除用の操作部材としての操作ロッド２９の下端に連結されており、操作ロッド２９をバネ２８に抗して上方に引き上げ操作することでロック部材２５をロック解除方向に操作することができるようになっている。
【００２０】
また、支持枠１１の上部には、ロック解除操作された操作ロッド２９をロック付勢力に抗してロック解除位置に保持するロック解除保持機構３０が備えられている。図１０，１１に示すように、前記ロック解除保持機構３０は、操作ロッド２９に固着した係止金具３１と、支持枠１１に取付けた板バネ製の保持部材３２とで構成されており、操作ロッド２９をロック解除位置まで引き上げると、保持部材３２が係止金具３１に形成されている係合凹部３１ａに弾性係入して、操作ロッド２９が下方に復帰移動するのを阻止し、ロック機構２３がロック解除状態に保持されるようになっている。
【００２１】
このように操作ロッド２９を一旦引き上げ操作すれば操作ロッド２９から手を放してもロック解除状態が保持されることになり、集草容器１２の上面に突設された容器回動操作用のハンドル３３を前方に倒し操作することで集草容器１２を刈草排出姿勢に回動することができる。なお、前記ハンドル３３は、内部フレーム１６に備えられた縦向きのボス部３４に上下スライド自在に挿通支持されており、通常はハンドル３３を下方にスライド格納しておき、容器回動操作時に上方に引き出して長いハンドルとして使用することができるようになっている。
【００２２】
上記のようにロック解除保持機構３０を機能させて集草容器１２を刈草排出姿勢に回動すると、ロック解除保持機構３０のロック解除保持機能が自動的に解除されて再びロック機構２３が機能する状態に復帰するようになっている。つまり、操作ロッド２９を引き上げて保持させた状態で集草容器１２を刈草排出方向に回動させると、図１１（ロ），（ロ）に示すように、集草容器１２の内部フレーム１６に備えた操作片３５が前記ロック解除保持機構３０の保持部材３２に形成した片持ち状の遊端部３２ａに接当作用して、保持部材３２を係合解除方向に変形させ、ロック解除保持機構３０の機能が解除さて操作ロッド２９の下方移動が許容されることでロック部材２５はバネ２８によってロック状態にまで回動する。この状態で集草容器１２を刈草回収姿勢に更に近づけると、ロック金具２６がロック部材２５の先端に形成した下向きの傾斜カム面２５ａに接当作用し、ロック部材２５がバネ２８に抗して押し上げ回動され、集草容器１２が刈草回収姿勢に至った時点でロック部材２５がロック金具２６に自動的に係合される。なお、図１１（イ）に示すように、集草容器１２を刈草排出姿勢から刈草回収姿勢に回動する場合、操作片３５は弾性復帰した保持部材３２の遊端部３２ａに干渉することなく通過することになる。
【００２３】
前記操作ロッド２９およびハンドル３３はそれぞれ集草装置７の右側に偏って配備されており、作業者は操作ロッド２９の引き上げ操作と、ハンドル３３を持っての集草容器回動操作を集草装置７の右側に立って行うことができる。
【００２４】
上記のように回動操作可能に支持された集草容器１２は、以下のようにして支持枠から脱着することもできる。つまり、集草容器１２に備えられた左右の前記係合ロック部材２１は、容器上面から上下操作可能に挿入されたアーチ形の係合解除操作具３７の下端にそれぞれ連結されるとともに、係合解除操作具３７の脚部に外嵌装着した圧縮コイルバネ３８によって係合ロック部材２１が常に下方にスライド付勢されている。また、集草容器１２の上面には容器脱着用のアーチ形の取っ手３９が固設され、この取っ手３９と前記係合解除操作具３７の操作部３７ａと共握り可能に配備されている。
【００２５】
上記構成によると、集草容器１２が刈草回収姿勢で支持枠１１に連結された状態（図７参照）において、容器上面に突出された取っ手３９を把持するともに係合解除操作具３７の操作部３７ａを共握り操作して引き上げると、図１２に示すように、係合ロック部材２１が上方に移動して支軸１９から離脱され、係合部材２０の係合凹部２０ａが前方に開放された状態となる。この状態で取っ手３９を後方に動かすことで集草容器１２全体がロック機構２３の係合部を支点に後方に回動して係合部材２０が支軸１９から離脱され、集草容器１２は容器支持アーム１５の支点部から分離される。その後、集草容器１２を後方に引き動かしてロック金具２６を受け金具２７から離脱することで集草容器１２を支持枠１１か取外すことができる。なお、取外した集草容器１２を支持枠１１に連結する場合には、上記離脱操作を逆に行えばよい。
【００２６】
〔別実施例〕
【００２７】
集草容器１２の容器主部１２ａおよびサイドカバー１２ｂを共に板金構造に構成することもでき、この場合、サイドカバー１２ｂの板厚は容器主部１２ａの板厚より薄いものでよい。
【図面の簡単な説明】
【００２８】
【図１】草刈機の全体側面図
【図２】草刈機の全体側面図
【図３】集草装置における容器開放状態および容器取り外し状態を示す側面図
【図４】集草装置における支持枠を示す背面図
【図５】集草容器の縦断背面図
【図６】集草容器の分解斜視図
【図７】集草装置の縦断側面図
【図８】回動ロックが解除された状態の集草装置を示す縦断側面図
【図９】集草容器が開放回動された状態を示す縦断側面図
【図１０】ロック解除保持機構の斜視図
【図１１】ロック解除保持機構の作動を示す側面図
【図１２】集草容器取り外しのためにロック解除された集草装置を示す縦断側面図
【図１３】集草容器取り外し状態の縦断側面図
【図１４】集草容器の回動支点部を示す分解斜視図
【符号の説明】
【００２９】
３                走行機体
５                モーア
１２              集草容器
１２ａ            容器主部
１２ｂ            サイドカバー
【図１】
2006006208.tif 000003
【図２】
2006006208.tif 000004
【図３】
2006006208.tif 000005
【図４】
2006006208.tif 000006
【図５】
2006006208.tif 000007
【図６】
2006006208.tif 000008
【図７】
2006006208.tif 000009
【図８】
2006006208.tif 000010
【図９】
2006006208.tif 000011
【図１０】
2006006208.tif 000012
【図１１】
2006006208.tif 000013
【図１２】
2006006208.tif 000014
【図１３】
2006006208.tif 000015
【図１４】
2006006208.tif 000016